Podtech/llm-jp-corpus-v4-ja_patent huggingface dataset:
【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
印刷装置で印刷される用紙に関する用紙情報を作成する用紙情報作成ツールであって、
前記用紙情報に関する設定項目および前記設定項目に対応する選択肢を表示する処理を行う表示制御部と、
外部からの入力に基づいて、前記選択肢の選択を受け付ける処理と文字列を生成する処理とを行う入力制御部と、
選択された前記選択肢に対応する設定値または前記文字列を前記印刷装置に設定する設定コマンドと、複数の前記設定コマンドをまとめた登録コマンドと、を生成するコマンド生成部と、
前記用紙情報としての前記登録コマンドを前記印刷装置に送信する処理を行う通信制御部と、を備えることを特徴とする用紙情報作成ツール。
【請求項２】
請求項１において、
前記設定項目は、前記用紙に印刷される背景画像が設定される前記設定項目を含むことを特徴とする用紙情報作成ツール。
【請求項３】
請求項１または２において、
前記文字列は、前記登録コマンドを示す識別子として機能することを特徴とする用紙情報作成ツール。
【請求項４】
請求項１から３のいずれか一項において、
前記通信制御部は、前記印刷装置の現下の前記設定値を示す設定値情報の返信を要求する問合せコマンドを前記印刷装置に送信して、前記印刷装置から返信される前記設定値情報を受信し、
前記表示制御部は、前記設定値情報に基づき、前記設定値を表示する処理を行うことを特徴とする用紙情報作成ツール。
【請求項５】
請求項４において、
前記通信制御部は、起動時に前記問合せコマンドを送信することを特徴とする用紙情報作成ツール。
【請求項６】
請求項４において、
前記通信制御部は、前記登録コマンドを前記印刷装置に送信した後に、所定の時間を空けて、前記問合せコマンドを送信することを特徴とする用紙情報作成ツール。
【請求項７】
請求項６において、
前記表示制御部は、送信した前記登録コマンドに基づく前記設定値と前記設定値情報に基づく前記設定値とに差異があることを示す設定エラーの表示処理を行うことを特徴とする用紙情報作成ツール。
【請求項８】
請求項１から７のいずれか一項において、
前記登録コマンドは、ヘッダー、及び、フッダーの間に、複数の前記設定コマンドが設けられていることを特徴とする用紙情報作成ツール。
【請求項９】
印刷装置で印刷される用紙に関する用紙情報を作成する用紙情報作成ツールにおける用紙情報の作成方法であって、
前記用紙情報に関する設定項目および前記設定項目に対応する選択肢を表示するステップと、
外部からの入力に基づいて、前記選択肢の選択を受け付け、文字列を生成するステップと、
選択された前記選択肢に対応する設定値または前記文字列を前記印刷装置に設定する設定コマンドと、複数の前記設定コマンドをまとめた登録コマンドと、を生成するステップと、
前記用紙情報としての前記登録コマンドを前記印刷装置に送信するステップと、を含むことを特徴とする用紙情報の作成方法。
【手続補正書】
【提出日】平成30年7月25日(2018.7.25)
【手続補正１】
【補正対象書類名】特許請求の範囲
【補正対象項目名】全文
【補正方法】変更
【補正の内容】
【特許請求の範囲】
【請求項１】
撮像光学系を通した撮像により生成された入力画像に対して画像処理を行う画像処理装置であって、
前記入力画像に対して高解像度化処理を行うことにより第１の画像を生成する第１の処理手段と、
前記第１の画像または該第１の画像から生成した画像であるノイズ低減対象画像に対してノイズ低減処理を行うことにより第２の画像を生成する第２の処理手段とを有し、
前記第２の処理手段は、前記ノイズ低減処理において、
前記ノイズ低減対象画像から、対象画素を含む第１の部分画像と参照画素を含む複数の第２の部分画像とを抽出し、
前記複数の第２の部分画像に対して前記第１の部分画像との相関値を算出し、
前記高解像度化処理の特性と前記相関値とに応じて前記複数の第２の部分画像のそれぞれに対して重みを与え、
前記複数の第２の部分画像における参照画素の画素値と前記重みとを用いて前記対象画素の画素値を算出し、該算出された画素値を用いて前記第２の画像を生成することを特徴とする画像処理装置。
【請求項２】
前記入力画像に含まれる第１のノイズ量を取得するノイズ取得手段を有し、
前記第２の処理手段は、前記ノイズ低減処理において、
前記第１のノイズ量と前記高解像度化処理の特性とを用いて前記第１の画像に含まれる第２のノイズ量を取得し、
前記第２のノイズ量と前記相関値とに応じて前記複数の第２の部分画像のそれぞれに対して前記重みを与えることを特徴とする請求項１に記載の画像処理装置。
【請求項３】
前記第２の処理手段は、前記ノイズ低減処理において、
前記対象画素における前記第２のノイズ量と前記相関値とに応じて前記複数の第２の部分画像のそれぞれに対して前記重みを与えることを特徴とする請求項２に記載の画像処理装置。
【請求項４】
前記第２の処理手段は、前記ノイズ低減処理において、
前記第１の部分画像における前記第２のノイズ量の平均値または中央値と前記相関値とに応じて前記複数の第２の部分画像のそれぞれに対して前記重みを与えることを特徴とする請求項２に記載の画像処理装置。
【請求項５】
前記第２の処理手段は、前記ノイズ低減処理において、
前記第１および第２の部分画像における前記第２のノイズ量と前記相関値とに応じて前記複数の第２の部分画像のそれぞれに対して前記重みを与えることを特徴とする請求項２に記載の画像処理装置。
【請求項６】
前記第２の処理手段は、前記ノイズ低減処理において、
前記対象画素における前記第２のノイズ量に応じて前記第１および第２の部分画像の画素数を設定することを特徴とする請求項２から５のいずれか一項に記載の画像処理装置。
【請求項７】
前記第２の処理手段は、前記ノイズ低減処理において、
前記ノイズ低減対象画像のうち前記高解像度化処理の特性に応じて設定した抽出可能領域から前記複数の第２の部分画像を抽出することを特徴とする請求項１から６のいずれか一項に記載の画像処理装置。
【請求項８】
前記第１の処理手段は、前記撮像光学系の光学特性に基づいて前記高解像度化処理を行うことを特徴とする請求項１から７のいずれか一項に記載の画像処理装置。
【請求項９】
前記第１の処理手段は、前記入力画像における領域ごとに異なる前記撮像光学系の光学特性に基づいて前記高解像度化処理を行うことを特徴とする請求項８に記載の画像処理装置。
【請求項１０】
前記高解像度化処理の特性は、前記撮像光学系の光学特性に応じた周波数特性、または前記高解像度化処理によるノイズの増幅量に関する特性であることを特徴とする請求項１から９のいずれか一項に記載の画像処理装置。
【請求項１１】
前記高解像度化処理は画像回復処理であることを特徴とする請求項１から１０のいずれか一項に記載の画像処理装置。
【請求項１２】
前記第２の部分画像は前記ノイズ低減対象画像における前記第１の部分画像とは異なる部分の画像であることを特徴とする請求項１から１１のいずれか一項に記載の画像処理装置。
【請求項１３】
撮像光学系を通した撮像により撮像画像を生成する撮像手段と、
前記撮像画像である入力画像に対して画像処理を行う請求項１から１２のいずれか一項に記載の画像処理装置とを有することを特徴とする撮像装置。
【請求項１４】
コンピュータに、撮像光学系を通した撮像により生成された入力画像に対して画像処理を行わせるコンピュータプログラムであって、
前記画像処理は、
前記入力画像に対して高解像度化処理を行うことにより第１の画像を生成する第１の処理と、
前記第１の画像または該第１の画像から生成した画像であるノイズ低減対象画像に対してノイズ低減処理を行うことにより第２の画像を生成する第２の処理とを含み、
前記第２の処理は、前記ノイズ低減処理において、
前記ノイズ低減対象画像から、対象画素を含む第１の部分画像と参照画素を含む複数の第２の部分画像とを抽出し、
前記複数の第２の部分画像に対して前記第１の部分画像との相関値を算出し、
前記高解像度化処理の特性と前記相関値とに応じて前記複数の第２の部分画像のそれぞれに対して重みを与え、
前記複数の第２の部分画像における参照画素の画素値と前記重みとを用いて前記対象画素の画素値を算出し、該算出された画素値を用いて前記第２の画像を生成することを特徴とする画像処理プログラム。
【手続補正書】
【提出日】平成29年11月22日(2017.11.22)
【手続補正１】
【補正対象書類名】特許請求の範囲
【補正対象項目名】全文
【補正方法】変更
【補正の内容】
【特許請求の範囲】
【請求項１】
略直方体状の電子機器ケースであって、
入力端子と、
少なくとも２つ以上の出力端子と、
前記電子機器ケースの両側面のそれぞれから突出する取付部とを備え、
前記取付部は略直方体形状とされ、該取付部における隣接する２つの側面に連通する取付開口部が形成されており、該取付開口部に、前記電子機器ケースを取り付けるための取付具を挿入できることを特徴とする電子機器ケース。
【請求項２】
前記取付開口部に前記取付具を挿入して、前記２つの側面の一方に形成されている前記取付開口部に前記取付具を位置させた時と、前記２つの側面の他方に形成されている前記取付開口部に前記取付具を位置させた時とでは、前記電子機器ケースの取付方向を異なる方向とすることができることを特徴とする請求項１に記載の電子機器ケース。
【請求項３】
さらに、側面に前記取付具を挿通可能な孔部が形成されているネジ受けピンを備え、
前記取付部に形成されたネジ受けピン挿入孔に前記ネジ受けピンを挿入して、該ネジ受けピンを前記取付開口部内に配置し、前記孔部に前記取付具を挿通することを特徴とする請求項１または２に記載の電子機器ケース。
【請求項４】
分岐器又は分配器の電子機器ケースであることを特徴とする請求項１〜３のいずれかに記載の電子機器ケース。
【請求項５】
前記取付部における前記２つの側面からなる角部が丸みを帯びた形状とされていることを特徴とする請求項１〜４のいずれかに記載の電子機器ケース。
【手続補正２】
【補正対象書類名】明細書
【補正対象項目名】０００５
【補正方法】変更
【補正の内容】
【０００５】
上記目的を達成するため本発明の電子機器ケースは、略直方体状の電子機器ケースであって、入力端子と、少なくとも２つ以上の出力端子と、前記電子機器ケースの両側面のそれぞれから突出する取付部とを備え、前記取付部は略直方体形状とされ、該取付部における隣接する２つの側面に連通する取付開口部が形成されており、該取付開口部に、前記電子機器ケースを取り付けるための取付具を挿入できることを特徴とする。また、本発明の電子機器ケースは、前記２つの側面の一方に形成されている前記取付開口部に前記取付具を位置させた時と、前記２つの側面の他方に形成されている前記取付開口部に前記取付具を位置させた時とでは、前記電子機器ケースの取付方向を異なる方向とすることができる。さらに、本発明の電子機器ケースは、側面に前記取付具を挿通可能な孔部が形成されているネジ受けピンを備え、前記取付部に形成されたネジ受けピン挿入孔に前記ネジ受けピンを挿入して、該ネジ受けピンを前記取付開口部内に配置し、前記孔部に前記取付具を挿通するようにしてもよく、これらの電子機器ケースを分岐器用又は分配器用の電子機器ケースとして用いてもよい。さらにまた、本発明の電子機器ケースは、前記取付部における前記２つの側面からなる角部を丸みを帯びた形状としてもよい。
【手続補正３】
【補正対象書類名】明細書
【補正対象項目名】０００７
【補正方法】変更
【補正の内容】
【０００７】
【図１】図１は本発明に係る電子機器ケースの実施例１の構成を示す前面からの斜視図であり、電子機器ケースの上面方向からネジを取付開口部に挿通し、固定を行う場合を表す図である。
【図２】図２は本発明に係る電子機器ケースの実施例１の構成を示す前面からの斜視図であり、電子機器ケースの前面方向からネジを取付開口部に挿通し、固定を行う場合を表す図である。
【図３】図３は本発明に係る電子機器ケースの実施例１の構成を示す下面からの斜視図であり、電子機器ケースの前面方向からネジを取付開口部に挿通し、固定を行う場合を表す図である。
【図４】図４は本発明に係る電子機器ケースの実施例２の構成を示す前面からの斜視図であり、電子機器ケースの上面方向からネジを取付開口部及びネジ受けピンに設けられたネジ受け孔を挿通し、固定を行う場合を表す図である。
【図５】図５は本発明に係る電子機器ケースの実施例２の構成を示す前面からの斜視図であり、電子機器ケースの上面方向からネジを取付開口部及びネジ受けピンに設けられたネジ受け孔を挿通し、固定を行う場合を表す図である。
【図６】図６は本発明に係る電子機器ケースの実施例２の構成を示す前面からの斜視図であり、電子機器ケースの前面方向からネジを取付開口部及びネジ受けピンに設けられたネジ受け孔を挿通し、固定を行う場合を表す図である。
【図７】図７は本発明に係る電子機器ケースの実施例２の構成を示す下面からの斜視図であり、電子機器ケースの前面方向からネジを取付開口部及びネジ受けピンに設けられたネジ受け孔を挿通し、固定を行う場合を表す図である。
【図８】図８は本発明の実施例２の電子機器ケースにおけるネジ受けピンの構成を示す（ａ）側面図、（ｂ）上面図、（ｃ）Ａ−Ａ方向からの側面図、（ｄ）Ａ−Ａ断面で示す側面図、（ｅ）Ｂ−Ｂ断面で示す下面図、（ｆ）斜視図、（ｇ）斜視図である。
【図９】図９は本発明の実施例２の電子機器ケースにおいて用いられるネジとネジ受けピンの接続時の構成を表す斜視図である。
【手続補正書】
【提出日】平成30年7月11日(2018.7.11)
【手続補正１】
【補正対象書類名】特許請求の範囲
【補正対象項目名】全文
【補正方法】変更
【補正の内容】
【特許請求の範囲】
【請求項１】
表面に平坦面を有する筒体と、
前記筒体の平坦面に配されるＬＥＤユニットと、
前記筒体を内部に収容する直管状の透光性カバー体と、
前記透光性カバー体の各端部内に配され且つ前記筒体を当該透光性カバー体に対して位置決めする位置決め部材と、
前記透光性カバー体の端部を塞ぐ蓋体と
を備え、
前記位置決め部材は、板状部と、当該板状部の一方の面に設けられた筒状部とを有し、
前記板状部の周面の少なくとも一部が前記透光性カバー体の内周面に当接し、
前記筒状部は前記筒体と嵌合する
直管形ランプ。
【請求項２】
前記位置決め部材の板状部の外周面形状は、前記透光性カバー体の内周面形状と一致し、
前記位置決め部材の筒状部は前記筒体に挿入される
請求項１に記載の直管形ランプ。
【請求項３】
前記板状部の外周部分は、当該板状部の厚み方向であって前記透光性カバー体の長手方向の中心側に向かって張り出す鍔部となっている
請求項１又は２に記載の直管形ランプ。
【請求項４】
前記ＬＥＤユニットに電力を供給する電源ユニットを前記筒体の内部に有し、
一方の位置決め部材の前記板状部は、前記筒状部が存在する側から見たときに当該筒状部の内周面に囲まれた領域内に、貫通孔を有し、
一端が前記電源ユニットと電気的に接続し且つ他端が商用電源側に接続される外ケーブルが前記貫通孔を通る
請求項１〜３の何れか１項に記載の直管形ランプ。
【請求項５】
前記ＬＥＤユニットに電力を供給する電源ユニットを前記筒体の内部に有し、
他方の位置決め部材の前記板状部は、前記筒状部が存在する側から見たときに、当該筒状部の内周面に囲まれた領域と当該領域の外側領域とのそれぞれに１つ以上の貫通孔を有し、
前記電源ユニットと前記ＬＥＤユニットとを電気的に接続する内ケーブルは、前記他方の位置決め部材の前記領域内の貫通孔と前記領域外の貫通孔とを通る
請求項１〜３の何れか１項に記載の直管形ランプ。
【請求項６】
前記電源ユニットは、前記ＬＥＤユニットに電力を供給するための回路を構成する電子部品が長尺状の回路基板に実装されてなり、
前記他方の位置決め部材は、前記回路基板を固定するための固定手段を有している
請求項５に記載の直管形ランプ。
【請求項７】
前記透光性カバー体の端部と前記蓋体との間に配されたパッキンを備え、
前記蓋体は前記透光性カバー体の端部が挿入される挿入溝を有し、
前記挿入溝は前記透光性カバー体の周面に当接する凸部を有し、
前記パッキンは前記挿入溝における前記凸部が存在しない部分に配されている
請求項１〜６の何れか１項に記載の直管形ランプ。
【請求項８】
設置面に設置される器具と、当該器具に着脱自在に装着される直管形ランプとを備える照明装置において、
前記直管形ランプは請求項１〜７の何れか１項に記載の直管形ランプである
照明装置。
【手続補正書】
【提出日】平成30年5月10日(2018.5.10)
【手続補正１】
【補正対象書類名】特許請求の範囲
【補正対象項目名】全文
【補正方法】変更
【補正の内容】
【特許請求の範囲】
【請求項１】
正極、デンドライトを生成し得る金属及び／又はその化合物を活物質とする負極、並びにアルカリ電解質を備えたアルカリ蓄電池であって、前記アルカリ電解質が、少なくとも一部にヒドロキシル基以外の親水性官能基を有する分子量４００以上２２００００よりも小さい鎖式飽和炭化水素である化合物を電解質の体積１００ｍＬに対して１５ｇよりも少なく含有することを特徴とするアルカリ蓄電池。
【請求項２】
前記化合物は、少なくとも前記正極に接触する状態で、前記アルカリ電解質に含有されていることを特徴とする請求項１に記載のアルカリ蓄電池。
【請求項３】
前記ヒドロキシル基以外の親水性官能基は、カルボキシル基、スルホン基、又は炭素主鎖（最も長い炭素鎖）に対するα位置以降の炭素にヒドロキシル基を有し、ＣｎＨ２ｎ−ｍ＋１（ＯＨ）ｍ（ｎ及びｍは１以上の整数）の式で表される側鎖であることを特徴とする請求項１又は２に記載のアルカリ蓄電池。
【請求項４】
前記化合物は、炭素主鎖に結合する基がヒドロキシル基以外の親水性官能基であることを特徴とする請求項１〜３のいずれかに記載のアルカリ蓄電池。
【請求項５】
前記化合物は、炭素主鎖に結合する基の少なくとも一部がヒドロキシル基であることを特徴とする請求項１〜４のいずれかに記載のアルカリ蓄電池。
【請求項６】
前記デンドライトを生成し得る金属が、Ｚｎ、Ｍｇ、Ｃｄ、Ａｌ、Ｃａ、Ｆｅのいずれかであることを特徴とする請求項１〜５のいずれかに記載のアルカリ蓄電池。
【手続補正２】
【補正対象書類名】明細書
【補正対象項目名】００１５
【補正方法】変更
【補正の内容】
【００１５】
本第三発明に係るアルカリ蓄電池は、前記第一又は第二発明において、前記ヒドロキシル基以外の親水性官能基は、カルボキシル基、スルホン基又は炭素主鎖（最も長い炭素鎖）に対するα位置以降の炭素にヒドロキシル基を有し、ＣｎＨ２ｎ−ｍ＋１（ＯＨ）ｍ（ｎ及びｍは１以上の整数）の式で表される側鎖であることを特徴とする。
【手続補正３】
【補正対象書類名】明細書
【補正対象項目名】００３１
【補正方法】変更
【補正の内容】
【００３１】
ヒドロキシル基以外の親水性官能基には、カルボキシル基、スルホン基、又は前記化合物の炭素主鎖（最も長い炭素鎖）に対するα位置以降の炭素にヒドロキシル基を有し、ＣｎＨ２ｎ−ｍ＋１（ＯＨ）ｍの式で表される側鎖が挙げられる（後述の実施例1〜６参照）。
【手続補正書】
【提出日】平成30年7月9日(2018.7.9)
【手続補正１】
【補正対象書類名】特許請求の範囲
【補正対象項目名】全文
【補正方法】変更
【補正の内容】
【特許請求の範囲】
【請求項１】
指示体の位置を検出するインタラクティブプロジェクターであって、
スクリーン面に画像を投写する投写部と、
前記指示体の３次元座標値を検出すると共に、前記スクリーン面から離れる方向の座標をＺ座標としたとき、前記指示体のＺ座標値と前記スクリーン面のＺ座標値との間の差分と予め設定された差分閾値との関係に基づいて前記スクリーン面に対する前記指示体の接触の有無を検出する検出部と、
前記指示体のＺ座標値の履歴に基づいて、前記スクリーン面のＺ座標値と、前記指示体のＺ座標値と、前記差分閾値と、のうちの少なくとも一つを補正する補正部と、
を備えるインタラクティブプロジェクター。
【請求項２】
請求項１に記載のインタラクティブプロジェクターであって、
前記スクリーン面のうちで前記画像が投写される投写範囲を撮像する複数台のカメラをさらに備え、
前記検出部は、前記複数台のカメラによって撮像された前記指示体を含む複数の画像を用いた三角測量により前記指示体の３次元座標値を検出する、インタラクティブプロジェクター。
【請求項３】
請求項１または２に記載のインタラクティブプロジェクターであって、
前記補正部は、前記指示体のＺ座標値のヒストグラムに基づいて前記補正を行う、インタラクティブプロジェクター。
【請求項４】
請求項３に記載のインタラクティブプロジェクターであって、
前記補正部は、前記指示体のＺ座標値のヒストグラムのピークを示すＺ座標値と、前記スクリーン面のＺ座標値との大小関係に応じて前記補正を行う、インタラクティブプロジェクター。
【請求項５】
請求項１または２に記載のインタラクティブプロジェクターであって、
前記補正部は、前記指示体のＺ座標値の履歴における最小Ｚ座標値と、前記スクリーン面のＺ座標値との大小関係に応じて前記補正を行う、インタラクティブプロジェクター。
【請求項６】
請求項１〜５のいずれか一項に記載のインタラクティブプロジェクターであって、
前記補正部は、前記指示体のＺ方向速度がゼロであるときの前記指示体のＺ座標値の履歴に基づいて前記補正を行う、インタラクティブプロジェクター。
【請求項７】
請求項１〜６のいずれか一項に記載のインタラクティブプロジェクターであって、
前記検出部は、前記指示体が前記スクリーン面に接している接触状態と前記指示体が前記スクリーン面に接していない非接触状態のいずれの状態においても、前記指示体のＺ座標値を算出する時、前記履歴を更新する、インタラクティブプロジェクター。
【請求項８】
投写範囲を撮像する複数台のカメラを用いて指示体の位置を検出可能なインタラクティブプロジェクターのＺ座標の補正方法であって、
（ａ）前記指示体の３次元座標値を検出すると共に、スクリーン面から離れる方向の座標をＺ座標としたとき、前記指示体のＺ座標値と前記スクリーン面のＺ座標値との間の差分と予め設定された差分閾値との関係に基づいて前記スクリーン面に対する前記指示体の接触の有無を検出する工程と、
（ｂ）前記指示体のＺ座標値の履歴に基づいて、前記スクリーン面のＺ座標値と、前記指示体のＺ座標値と、前記差分閾値と、のうちの少なくとも一つを補正する工程と、
を備える補正方法。
【手続補正２】
【補正対象書類名】明細書
【補正対象項目名】０００６
【補正方法】変更
【補正の内容】
【０００６】
（１）本発明の一形態によれば、指示体の位置を検出するインタラクティブプロジェクターが提供される。このインタラクティブプロジェクターは、スクリーン面に画像を投写する投写部と；前記指示体の３次元座標値を検出すると共に、前記スクリーン面から離れる方向の座標をＺ座標としたとき、前記指示体のＺ座標値と前記スクリーン面のＺ座標値との間の差分と予め設定された差分閾値との関係に基づいて前記スクリーン面に対する前記指示体の接触の有無を検出する検出部と；前記指示体のＺ座標値の履歴に基づいて、前記スクリーン面のＺ座標値と、前記指示体のＺ座標値と、前記差分閾値と、のうちの少なくとも一つを補正する補正部と；を備える。
このインタラクティブプロジェクターによれば、指示体のＺ座標値の履歴に基づいて、スクリーン面のＺ座標値と、指示体のＺ座標値と、差分閾値と、のうちの少なくとも一つを補正するので、指示体のＺ座標値とスクリーン面のＺ座標値のいずれかにズレが発生している場合にも、そのズレを補正することができ、スクリーン面に対する指示体の接触の有無を精度良く検出することが可能となる。
【手続補正３】
【補正対象書類名】明細書
【補正対象項目名】０００９
【補正方法】変更
【補正の内容】
【０００９】
（４）上記インタラクティブプロジェクターにおいて、前記補正部は、前記指示体のＺ座標値のヒストグラムのピークを示すＺ座標値と、前記スクリーン面のＺ座標値との大小関係に応じて前記補正を行うものとしてもよい。
ヒストグラムのピークを示すＺ座標値とスクリーン面のＺ座標値との大小関係はＺ座標のズレを示しているので、この大小関係に応じて補正を行うようにすれば、スクリーン面に対する指示体の接触の有無の検出精度を向上できる。
【手続補正４】
【補正対象書類名】明細書
【補正対象項目名】００１０
【補正方法】変更
【補正の内容】
【００１０】
（５）上記インタラクティブプロジェクターにおいて、前記補正部は、前記指示体のＺ座標値の履歴における最小Ｚ座標値と、前記スクリーン面のＺ座標値との大小関係に応じて前記補正を行うものとしてもよい。
指示体のＺ座標値の履歴における最小Ｚ座標値とスクリーン面のＺ座標値との大小関係は、Ｚ座標のズレを示しているので、この大小関係に応じて補正を行うようにすれば、スクリーン面に対する指示体の接触の有無の検出精度を向上できる。
【手続補正５】
【補正対象書類名】明細書
【補正対象項目名】００３８
【補正方法】変更
【補正の内容】
【００３８】
図４（Ａ）において、第２カメラ３２０は、第１カメラ３１０よりも投写画面ＰＳからの垂直距離（Ｚ方向の距離）がより小さな位置に配置されている。また、２台のカメラ３１０，３２０は、Ｙ方向の位置が同じ（投写画面ＰＳからの高さが同じ）位置に配置されている。更に、２台のカメラ３１０，３２０の光軸Ｖ１，Ｖ２は互いに平行である。
【手続補正６】
【補正対象書類名】図面
【補正対象項目名】図９
【補正方法】変更
【補正の内容】
【図９】
2017033222.tif 000001
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
複数の現実空間のうち第１の現実空間にいるユーザの着目点を特定する特定手段と、
前記特定手段により特定された前記着目点にかかる情報を、前記第１の現実空間とは異なる第２の現実空間にいるユーザの表示装置に表示させるべく制御する表示制御手段と、
を備えることを特徴とする情報処理装置。
【請求項２】
前記複数の現実空間とは、複数の部屋または建物であることを特徴とする請求項１に記載の情報処理装置。
【請求項３】
前記特定手段は、前記ユーザの表示装置の位置姿勢から特定されるユーザの視線方向と、当該視線方向にある物体の情報から、当該物体にかかる前記ユーザの着目点を特定することを特徴とする請求項１又は２に記載の情報処理装置。
【請求項４】
前記表示装置の現実空間上の位置は、現実空間に対応する１または複数の仮想空間において管理され、
前記情報処理装置は、
前記表示装置の位置が管理されている仮想空間における、前記ユーザの着目点の位置を決定する決定手段と、
を備え、
前記表示制御手段は、前記表示装置において、前記決定手段により決定された仮想空間上の前記着目点の位置に応じて、現実に重ねて前記着目点にかかる情報を表示させるべく制御することを特徴とする請求項１乃至３のいずれか１項に記載の情報処理装置。
【請求項５】
前記表示制御手段は、前記ユーザの着目点の表示指示がされた表示装置に対して、前記着目点にかかる情報を表示させるべく制御することを特徴とする請求項１乃至４のいずれか１項に記載の情報処理装置。
【請求項６】
前記特定手段は、前記表示装置において前記着目点にかかる情報の表示指示がされたユーザの着目点を特定することを特徴とする請求項１乃至５のいずれか１項に記載の情報処理装置。
【請求項７】
複数の現実空間のうち第１の現実空間にいるユーザの着目点を特定する特定工程と、
前記特定工程により特定された前記着目点にかかる情報を、前記第１の現実空間とは異なる２の現実空間にいるユーザの表示装置に表示させるべく制御する表示制御工程と、
を含む制御方法。
【請求項８】
情報処理装置を、
複数の現実空間のうち第１の現実空間にいるユーザの着目点を特定する特定手段と、
前記特定手段により特定された前記着目点にかかる情報を、前記第１の現実空間とは異なる第２の現実空間にいるユーザの表示装置に表示させるべく制御する表示制御手段として機能させるためのプログラム。
【請求項９】
表示装置と情報処理装置を含む情報処理システムであって、
複数の現実空間のうち第１の現実空間にいるユーザの着目点を特定する特定手段と、
前記特定手段により特定された前記着目点にかかる情報を、前記第１の現実空間とは異なる第２の現実空間にいるユーザの表示装置に表示させるべく制御する表示制御手段と、
を備えることを特徴とする情報処理システム。
【請求項１０】
表示装置と情報処理装置を含む情報処理システムの制御方法であって、
複数の現実空間のうち第１の現実空間にいるユーザの着目点を特定する特定工程と、
前記特定工程により特定された前記着目点にかかる情報を、前記第１の現実空間とは異なる２の現実空間にいるユーザの装置に表示させるべく制御する表示制御工程と、
を含む制御方法。
【請求項１１】
表示装置と情報処理装置を含む情報処理システムを制御するプログラムであって、
前記情報処理システムを、
複数の現実空間のうち第１の現実空間にいるユーザの着目点を特定する特定手段と、
前記特定手段により特定された前記着目点にかかる情報を、前記第１の現実空間とは異なる第２の現実空間にいるユーザの表示装置に表示させるべく制御する表示制御手段として機能させるためのプログラム。
【手続補正書】
【提出日】平成30年7月24日(2018.7.24)
【手続補正１】
【補正対象書類名】特許請求の範囲
【補正対象項目名】全文
【補正方法】変更
【補正の内容】
【特許請求の範囲】
【請求項１】
ワークを撮像して得られた被探索画像から前記ワークの位置を画像処理により求める画像処理方法であって、
複数のモデルエッジを含むモデルを取得するモデル取得工程と、
前記被探索画像において、前記モデルとの一致度が高い位置を探索する粗探索工程と、
前記被探索画像の中で、前記粗探索工程にて探索した位置に前記モデルを移動させたときの前記モデルに含まれる複数のモデルエッジに応じてエッジ抽出領域を設定し、前記各エッジ抽出領域においてエッジを抽出する演算を行うエッジ抽出工程と、
前記エッジ抽出工程にて抽出したエッジを含むエッジ集合に対して所定形状でフィッティングを行い、前記ワークの位置を取得する精探索工程と、を備え、
前記エッジ抽出工程にてエッジを抽出できなかったエッジ抽出領域が存在する場合、前記粗探索工程にて探索した位置に移動させた前記モデルのうち、前記エッジ抽出工程にてエッジを抽出できなかったエッジ抽出領域に位置するモデルエッジを、前記エッジ集合に含めて、前記フィッティングを行うことを特徴とする画像処理方法。
【請求項２】
前記エッジ抽出工程にて前記複数のエッジ抽出領域のうち全てからエッジを抽出した場合は、前記エッジ抽出工程にて抽出した全てのエッジで前記エッジ集合を構成することを特徴とする請求項１に記載の画像処理方法。
【請求項３】
前記エッジ抽出工程にて抽出したエッジの数と閾値との比較を行い、前記エッジ抽出工程にて抽出したエッジの数が前記閾値より小さい場合に、前記精探索工程を行うと判断する、判断工程を更に備えることを特徴とする請求項１又は２に記載の画像処理方法。
【請求項４】
前記所定形状が、円、楕円又は矩形であることを特徴とする請求項１乃至３のいずれか１項に記載の画像処理方法。
【請求項５】
ワークを撮像して得られた被探索画像から前記ワークの位置を画像処理により求める処理部を備えた画像処理装置であって、
前記処理部は、
複数のモデルエッジを含むモデルを取得するモデル取得処理と、
前記被探索画像において、前記モデルとの一致度が高い位置を探索する粗探索処理と、
前記被探索画像の中で、前記粗探索処理にて探索した位置に前記モデルを移動させたときの前記モデルに含まれる複数のモデルエッジに応じてエッジ抽出領域を設定し、前記各エッジ抽出領域においてエッジを抽出する演算を行うエッジ抽出処理と、
前記エッジ抽出処理にて抽出したエッジを含むエッジ集合に対して所定形状でフィッティングを行い、前記ワークの位置を取得する精探索処理と、を実行し、
前記エッジ抽出処理にてエッジを抽出できなかったエッジ抽出領域が存在する場合、前記粗探索処理にて探索した位置に移動させた前記モデルのうち、前記エッジ抽出処理にてエッジを抽出できなかったエッジ抽出領域に位置するモデルエッジを、前記エッジ集合に含めて、前記フィッティングを行うことを特徴とする画像処理装置。
【請求項６】
前記処理部は、前記エッジ抽出処理にて前記複数のエッジ抽出領域のうち全てからエッジを抽出した場合は、前記エッジ抽出処理にて抽出した全てのエッジで前記エッジ集合を構成することを特徴とする請求項５に記載の画像処理装置。
【請求項７】
前記処理部は、前記エッジ抽出処理にて抽出したエッジの数と閾値との比較を行い、前記エッジ抽出処理にて抽出したエッジの数が前記閾値より小さい場合に、前記精探索処理を行うと判断する、判断処理を更に実行することを特徴とする請求項５又は６に記載の画像処理装置。
【請求項８】
前記所定形状が、円、楕円又は矩形であることを特徴とする請求項５乃至７のいずれか１項に記載の画像処理装置。
【請求項９】
コンピュータに請求項１乃至４のいずれか１項に記載の画像処理方法の各工程を実行させるためのプログラム。
【請求項１０】
請求項９に記載のプログラムを記録したコンピュータ読み取り可能な記録媒体。
【手続補正２】
【補正対象書類名】明細書
【補正対象項目名】０００９
【補正方法】変更
【補正の内容】
【０００９】
本発明は、ワークを撮像して得られた被探索画像から前記ワークの位置を画像処理により求める画像処理方法であって、複数のモデルエッジを含むモデルを取得するモデル取得工程と、前記被探索画像において、前記モデルとの一致度が高い位置を探索する粗探索工程と、前記被探索画像の中で、前記粗探索工程にて探索した位置に前記モデルを移動させたときの前記モデルに含まれる複数のモデルエッジに応じてエッジ抽出領域を設定し、前記各エッジ抽出領域においてエッジを抽出する演算を行うエッジ抽出工程と、前記エッジ抽出工程にて抽出したエッジを含むエッジ集合に対して所定形状でフィッティングを行い、前記ワークの位置を取得する精探索工程と、を備え、前記エッジ抽出工程にてエッジを抽出できなかったエッジ抽出領域が存在する場合、前記粗探索工程にて探索した位置に移動させた前記モデルのうち、前記エッジ抽出工程にてエッジを抽出できなかったエッジ抽出領域に位置するモデルエッジを、前記エッジ集合に含めて、前記フィッティングを行うことを特徴とする。
【手続補正書】
【提出日】平成30年7月30日(2018.7.30)
【手続補正１】
【補正対象書類名】特許請求の範囲
【補正対象項目名】全文
【補正方法】変更
【補正の内容】
【特許請求の範囲】
【請求項１】
表示部に、自車を表す自車オブジェクトと、他車を表す他車オブジェクトを含む画像情報を出力する画像出力部と、
前記表示部に表示された画像内の前記自車オブジェクトと前記他車オブジェクトとの位置関係を変更するユーザの操作信号を受け付ける操作信号入力部と、
前記受け付けた操作信号に応じた制御コマンドを、自動運転の制御を行う自動運転制御部に出力するコマンド出力部と、を備え、
前記コマンド出力部は、第１の操作信号に応じた第１の制御コマンドを前記自動運転制御部に出力してから、前記第１の制御コマンドに係る制御が実行完了する前に、第２の操作信号に応じた第２の制御コマンドを前記自動運転制御部に出力し、前記自動運転制御部に前記第２の制御コマンドに係る制御を予約する、
運転支援装置。
【請求項２】
前記第１の制御コマンドと前記第２の制御コマンドに、共通する制御が含まれる場合、共通する制御が実行され、前記第２の制御コマンドの最終位置まで前記自車を移動させる、
請求項１に記載の運転支援装置。
【請求項３】
前記第１の操作信号は、前記自車オブジェクトを前記他車オブジェクトの前に位置するよう両者の位置関係を変更するユーザの操作信号であり、
前記第１の制御コマンドは、前記自車が前記他車を追い越すことを指示する制御コマンドであり、
前記第２の操作信号は、前記自車オブジェクトを第１車線から第２車線に移動させるユーザの操作信号であり、
前記第２の制御コマンドは、前記自車の走行車線を前記第１車線から前記第２車線に変更することを指示する制御コマンドである、
請求項１または２に記載の運転支援装置。
【請求項４】
前記第１の制御コマンドによる、追越車線へ車線変更し、他車を追い抜き、元の車線へ車線変更する制御と、前記第２の制御コマンドによる、追越車線へ車線変更する制御が、
前記追越車線へ車線変更し、前記他車を追い抜く制御に変更される、
請求項３に記載の運転支援装置。
【請求項５】
画像を表示する表示装置と、
前記表示装置に画像情報を出力する運転支援装置と、を備え、
前記運転支援装置は、
前記表示装置に、自車を表す自車オブジェクトと、他車を表す他車オブジェクトを含む画像情報を出力する画像出力部と、
前記表示装置に表示された画像内の前記自車オブジェクトと前記他車オブジェクトとの位置関係を変更するユーザの操作信号を受け付ける操作信号入力部と、
前記受け付けた操作信号に応じた制御コマンドを、自動運転の制御を行う自動運転制御部に出力するコマンド出力部と、を含み、
前記コマンド出力部は、第１の操作信号に応じた第１の制御コマンドを前記自動運転制御部に出力してから、前記第１の制御コマンドに係る制御が実行完了する前に、第２の操作信号に応じた第２の制御コマンドを前記自動運転制御部に出力し、前記自動運転制御部に前記第２の制御コマンドに係る制御を予約する、
運転支援システム。
【請求項６】
表示部に、自車を表す自車オブジェクトと、他車を表す他車オブジェクトを含む画像情報を出力するステップと、
前記表示部に表示された画像内の前記自車オブジェクトと前記他車オブジェクトとの位置関係を変更するユーザの操作信号を受け付けるステップと、
前記受け付けた操作信号に応じた制御コマンドを、自動運転の制御を行う自動運転制御部に出力するステップと、を備え、
前記制御コマンドを出力するステップは、第１の操作信号に応じた第１の制御コマンドを前記自動運転制御部に出力してから、前記第１の制御コマンドに係る制御が実行完了する前に、第２の操作信号に応じた第２の制御コマンドを前記自動運転制御部に出力し、前記自動運転制御部に前記第２の制御コマンドに係る制御を予約する、
運転支援方法。
【請求項７】
表示部に、自車を表す自車オブジェクトと、他車を表す他車オブジェクトを含む画像情報を出力する処理と、
前記表示部に表示された画像内の前記自車オブジェクトと前記他車オブジェクトとの位置関係を変更するユーザの操作信号を受け付ける処理と、
前記受け付けた操作信号に応じた制御コマンドを、自動運転の制御を行う自動運転制御部に出力する処理と、
をコンピュータに実行させ、
前記制御コマンドを出力する処理は、第１の操作信号に応じた第１の制御コマンドを前記自動運転制御部に出力してから、前記第１の制御コマンドに係る制御が実行完了する前に、第２の操作信号に応じた第２の制御コマンドを前記自動運転制御部に出力し、前記自動運転制御部に前記第２の制御コマンドに係る制御を予約する、
運転支援プログラム。
【請求項８】
表示部に、自車を表す自車オブジェクトと、他車を表す他車オブジェクトを含む画像情報を出力する画像出力部と、
前記表示部に表示された画像内の前記自車オブジェクトと前記他車オブジェクトとの位置関係を変更するユーザの操作信号を受け付ける操作信号入力部と、
前記受け付けた操作信号に応じた制御コマンドを出力するコマンド出力部と、
前記出力された制御コマンドを実行する自動運転制御部と、
を備え、
前記コマンド出力部は、第１の操作信号に応じた第１の制御コマンドを前記自動運転制御部に出力してから、前記第１の制御コマンドに係る制御が実行完了する前に、第２の操作信号に応じた第２の制御コマンドを前記自動運転制御部に出力し、前記自動運転制御部に前記第２の制御コマンドに係る制御を予約する、
自動運転車両。
【手続補正書】
【提出日】平成30年7月30日(2018.7.30)
【手続補正１】
【補正対象書類名】特許請求の範囲
【補正対象項目名】全文
【補正方法】変更
【補正の内容】
【特許請求の範囲】
【請求項１】
表示部に、自車を表す自車オブジェクトと自車以外の所定の対象を表す非自車オブジェクトを含む画像情報を出力する画像出力部と、
前記表示部に表示された画像内の前記非自車オブジェクトに対するユーザによる操作信号を受け付ける操作信号入力部と、
前記受け付けた操作信号に応じた自動運転制御コマンドを、自動運転の制御を行う自動運転制御部に出力するコマンド出力部と、を備え、
前記表示部に表示された画像内の前記非自車オブジェクトに接触するユーザの操作信号を前記操作信号入力部が受け付けると、前記画像出力部は、前記非自車オブジェクトが接触されたときに前記自車から前記所定の対象に対して自動運転可能な操作または前記自車から前記所定の対象までの移動可能軌跡を複数含む画像情報を選択可能な状態で前記表示部に出力する運転支援装置。
【請求項２】
前記所定の対象は他車であり、
前記表示部に表示された画像内の他車オブジェクトに接触するユーザの操作信号を前記操作信号入力部が受け付けると、前記画像出力部は、自車を追従させる／追越のメニューを表示した画像情報を前記表示部に出力する、
請求項１に記載の運転支援装置。
【請求項３】
前記所定の対象は路肩であり、
前記表示部に表示された画像内の路肩に接触するユーザの操作信号を前記操作信号入力部が受け付けると、前記画像出力部は、縦列駐車か横列駐車の操作メニュー、様々な駐車可能スペース、又は路肩に到達するための移動可能軌道を表示した画像情報を前記表示部に出力する、
請求項１に記載の運転支援装置。
【請求項４】
画像を表示する表示装置と、
前記表示装置に画像情報を出力する運転支援装置と、を備え、
前記運転支援装置は、
前記表示装置に、自車を表す自車オブジェクトと自車以外の所定の対象を表す非自車オブジェクトを含む画像情報を出力する画像出力部と、
前記表示装置に表示された画像内の前記非自車オブジェクトに対するユーザによる操作信号を受け付ける操作信号入力部と、
前記受け付けた操作信号に応じた自動運転制御コマンドを、自動運転の制御を行う自動運転制御部に出力するコマンド出力部と、を含み、
前記表示装置に表示された画像内の前記非自車オブジェクトに接触するユーザの操作信号を前記操作信号入力部が受け付けると、前記画像出力部は、前記非自車オブジェクトが接触されたときに前記自車から前記所定の対象に対して自動運転可能な操作または前記自車から前記所定の対象までの移動可能軌跡を複数含む画像情報を選択可能な状態で前記表示装置に出力する運転支援システム。
【請求項５】
表示部に、自車を表す自車オブジェクトと自車以外の所定の対象を表す非自車オブジェクトを含む画像情報を出力するステップと、
前記表示部に表示された画像内の前記非自車オブジェクトに対するユーザによる操作信号を受け付けるステップと、
前記受け付けた操作信号に応じた自動運転制御コマンドを、自動運転の制御を行う自動運転制御部に出力するステップと、を備え、
前記表示部に表示された画像内の前記非自車オブジェクトに接触するユーザの操作信号を、前記操作信号を受け付けるステップが受け付けると、前記画像情報を出力するステップは、前記非自車オブジェクトが接触されたときに前記自車から前記所定の対象に対して自動運転可能な操作または前記自車から前記所定の対象までの移動可能軌跡を複数含む画像情報を選択可能な状態で前記表示部に出力する運転支援方法。
【請求項６】
表示部に、自車を表す自車オブジェクトと自車以外の所定の対象を表す非自車オブジェクトを含む画像情報を出力する処理と、
前記表示部に表示された画像内の前記非自車オブジェクトに対するユーザによる操作信号を受け付ける処理と、
前記受け付けた操作信号に応じた自動運転制御コマンドを、自動運転の制御を行う自動運転制御部に出力する処理と、をコンピュータに実行させ、
前記表示部に表示された画像内の前記非自車オブジェクトにユーザの操作信号を、前記操作信号を受け付ける処理が受け付けると、前記画像情報を出力する処理は、前記非自車オブジェクトが接触されたときに前記自車から前記所定の対象に対して自動運転可能な操作または前記自車から前記所定の対象までの移動可能軌跡を複数含む画像情報を選択可能な状態で前記表示部に出力する運転支援プログラム。
【請求項７】
自車の周辺状況を検出する検出部と、
表示部に、前記自車を表す自車オブジェクトと自車以外の所定の対象を表す非自車オブジェクトを含む画像情報を出力する画像出力部と、
前記表示部に表示された画像内の前記非自車オブジェクトに対するユーザによる操作信号を受け付ける操作信号入力部と、
前記受け付けた操作信号に応じた自動運転制御コマンドを出力するコマンド出力部と、
前記出力されたコマンドを実行する自動運転制御部と、を備え、
前記表示部に表示された画像内の前記非自車オブジェクトに接触するユーザの操作信号を前記操作信号入力部が受け付けると、前記画像出力部は、前記非自車オブジェクトが接触されたときに前記自車から前記所定の対象に対して自動運転可能な操作または前記自車から前記所定の対象までの移動可能軌跡を複数含む画像情報を選択可能な状態で前記表示部に出力する自動運転車両。
【手続補正書】
【提出日】平成30年4月10日(2018.4.10)
【手続補正１】
【補正対象書類名】特許請求の範囲
【補正対象項目名】全文
【補正方法】変更
【補正の内容】
【特許請求の範囲】
【請求項１】
端末とネットワークを介して接続された健康管理サーバであって、
前記端末を有する健康管理対象者の健康管理対象者情報、質問情報および回答情報を記憶する記憶部と、
前記端末から送信された入力情報を受信する受信部と、
前記受信した入力情報に基づいて前記質問情報を取得する解析部と、
前記取得した質問情報に対応する前記回答情報を抽出し、該抽出した回答情報に基づいて文例を生成する生成部と、
前記抽出された回答情報を、該回答情報の確からしさを示す確信度で評価する評価部と、
前記評価を、前記健康管理対象者情報に基づいて補正する補正部と、
前記補正された評価と前記生成された文例とに基づくアドバイスを前記端末に対して送信する送信部と、を備える、健康管理サーバ。
【請求項２】
前記受信部は、さらに、前記端末から送信された画像情報を受信し、
前記画像情報は、前記端末で撮影されたものであって、
前記解析部は、前記撮影された画像情報の特徴を算出し、該特徴および前記入力情報に基づいて、言語情報を解析することを特徴とする請求項１記載の健康管理サーバ。
【請求項３】
前記健康管理サーバは、更に、
健康管理対象者毎の回答情報の使用頻度を算出する算出部を備え、
前記記憶部は、前記健康管理対象者の前記回答情報の過去の使用履歴および使用頻度を使用履歴情報として記憶するものであって、
前記補正部は、前記使用履歴の情報に基づいて文例を補正するものであることを特徴とする請求項１または２記載の健康管理サーバ。
【請求項４】
端末とネットワークを介して接続された健康管理プログラムであって、
１つ以上のコンピュータに、
前記端末を有する健康管理対象者の健康管理対象者情報、質問情報および回答情報を記憶するステップと、
前記端末から送信された入力情報を受信するステップと、
前記受信した入力情報に基づいて前記質問情報を取得するステップと、
前記取得した質問情報に対応する前記回答情報を抽出し、該抽出した回答情報に基づいて文例を生成するステップと、
前記抽出された回答情報を、該回答情報の確からしさを示す確信度で評価するステップと、
前記文例および評価を、前記健康管理対象者情報に基づいて補正するステップと、
前記補正された文例および評価に基づくアドバイスを前記端末に対して送信するステップと、を実行させる、健康管理プログラム。
【手続補正書】
【提出日】平成30年6月28日(2018.6.28)
【手続補正１】
【補正対象書類名】特許請求の範囲
【補正対象項目名】全文
【補正方法】変更
【補正の内容】
【特許請求の範囲】
【請求項１】
ユーザーによるコンテンツの利用状況に基づき当該ユーザーの可処分時間帯を設定する可処分時間帯設定部と、
ユーザーによるコンテンツの利用状況に基づき当該ユーザーが利用した各コンテンツに対する興味度をそれぞれ設定する興味度設定部と、
ユーザーが利用した各コンテンツに対する興味度に基づき当該ユーザーの通知対象となるコンテンツを設定する通知対象設定部と、
前記ユーザーに設定された前記通知対象となるコンテンツに対する興味度が所定値よりも高いか否かを判定する判定部と、
前記判定部による判定結果に基づいて、前記通知対象となるコンテンツに関する情報を当該ユーザーに対して通知する通知部と、
を備えたことを特徴とする情報処理装置。
【請求項２】
請求項１に記載の情報処理装置であって、
前記通知部は、
前記判定部による判定が肯定された場合には、前記通知対象となるコンテンツに関する情報を当該ユーザーに対して通知せず、
前記判定部による判定が否定された場合には、前記通知対象となるコンテンツに関する情報を当該ユーザーに対して通知する、
ことを特徴とする情報処理装置。
【請求項３】
請求項１又は２に記載の情報処理装置であって、
前記興味度設定部は、前記通知部によって前記通知対象となるコンテンツに関する情報が当該ユーザーに対して通知された後に、前記通知対象となるコンテンツの利用状況に基づいて、前記通知対象となるコンテンツに対する興味度を再設定する、
ことを特徴とする情報処理装置。
【請求項４】
請求項３に記載の情報処理装置であって、
前記判定部は、前記通知部によって前記通知対象となるコンテンツに関する情報が当該ユーザーに対して通知された後から所定時間内に、前記通知対象となるコンテンツが当該ユーザーによって利用されたか否かを判定し、
前記興味度設定部は、前記判定部による判定が否定された場合には、前記通知対象となるコンテンツに対する興味度が低くなるように再設定する、
ことを特徴とする情報処理装置。
【請求項５】
コンピューターに、
ユーザーによるコンテンツの利用状況に基づき当該ユーザーの可処分時間帯を設定する可処分時間帯設定処理と、
ユーザーによるコンテンツの利用状況に基づき当該ユーザーが利用した各コンテンツに対する興味度をそれぞれ設定する興味度設定処理と、
ユーザーが利用した各コンテンツに対する興味度に基づき当該ユーザーの通知対象となるコンテンツを設定する通知対象設定処理と、
前記ユーザーに設定された前記通知対象となるコンテンツに対する興味度が所定値よりも高いか否かを判定する判定処理と、
前記判定処理による判定結果に基づいて、前記通知対象となるコンテンツに関する情報を当該ユーザーに対して通知する通知処理と、
を実行させることを特徴とするプログラム。
【手続補正２】
【補正対象書類名】明細書
【補正対象項目名】発明の名称
【補正方法】変更
【補正の内容】
【発明の名称】情報処理装置、及び、プログラム
【手続補正書】
【提出日】平成30年7月30日(2018.7.30)
【手続補正１】
【補正対象書類名】特許請求の範囲
【補正対象項目名】全文
【補正方法】変更
【補正の内容】
【特許請求の範囲】
【請求項１】
自車を含む複数の車両を表す複数の車両オブジェクトを含む画像情報を表示部に出力する画像出力部と、
タッチパネル上で前記複数の車両オブジェクトを選択するユーザ操作信号を受け付ける操作信号入力部と、
前記複数の車両オブジェクトを同一範囲内に含めるように選択された場合、前記複数の車両に隊列走行するように指示するコマンドを出力するコマンド出力部と、
を備える運転支援装置。
【請求項２】
前記ユーザ操作信号は、前記複数の車両オブジェクトを囲むような領域を描くユーザ操作に基づく信号である、
請求項１に記載の運転支援装置。
【請求項３】
前記ユーザ操作信号は、前記複数の車両オブジェクトを囲むような領域の対角線を描くユーザ操作に基づく信号である、
請求項１に記載の運転支援装置。
【請求項４】
前記領域は、前記画像内に形成された閉領域である、
請求項２または３に記載の運転支援装置。
【請求項５】
前記複数の車両のうちの少なくとも１つに、車車間通信または中継装置を介して隊列走行のコマンドを送信する指示部を含む請求項１〜４のいずれか一項に記載の運転支援装置。
【請求項６】
前記隊列走行するように指示するコマンドは、前記複数の車両のうちの第２の車両に、前記複数の車両のうちの第３の車両に続いて走行するように指示するコマンドであり、
前記複数の車両のうちの第１の車両は、前記第２の車両に追従して走行する、
請求項１から５のいずれか一項に記載の運転支援装置。
【請求項７】
画像を表示する表示装置と、
前記表示装置に画像情報を出力する運転支援装置と、を備え、
自車を含む複数の車両を表す複数の車両オブジェクトを含む画像情報を前記表示装置に出力する画像出力部と、
タッチパネル上で前記複数の車両オブジェクトを選択するユーザ操作信号を受け付ける操作信号入力部と、
前記複数の車両オブジェクトを同一範囲内に含めるように選択された場合、前記複数の車両に隊列走行するように指示するコマンドを出力するコマンド出力部と、
を含む運転支援システム。
【請求項８】
自車を含む複数の車両を表す複数の車両オブジェクトを含む画像情報を表示部に出力するステップと、
タッチパネル上で前記複数の車両オブジェクトを選択するユーザ操作信号を受け付けるステップと、
前記複数の車両オブジェクトを同一範囲内に含めるように選択された場合、前記複数の車両に隊列走行するように指示するコマンドを出力するステップと、
を備える運転支援方法。
【請求項９】
自車を含む複数の車両を表す複数の車両オブジェクトを含む画像情報を表示部に出力する処理と、
タッチパネル上で前記複数の車両オブジェクトを選択するユーザ操作信号を受け付ける処理と、
前記複数の車両オブジェクトを同一範囲内に含めるように選択された場合、前記複数の車両に隊列走行するように指示するコマンドを出力する処理と、
をコンピュータに実行させる運転支援プログラム。
【請求項１０】
自車を含む複数の車両を表す複数の車両オブジェクトを含む画像情報を表示部に出力する画像出力部と、
タッチパネル上で前記複数の車両オブジェクトを選択するユーザ操作信号を受け付ける操作信号入力部と、
前記複数の車両オブジェクトを同一範囲内に含めるように選択された場合、前記複数の車両に隊列走行するように指示するコマンドを出力するコマンド出力部と、
前記出力されたコマンドを実行する自動運転制御部と、
を備える自動運転車両。